【手続補正書】
【提出日】平成16年10月13日(2004.10.13)
【手続補正１】
【補正対象書類名】明細書
【補正対象項目名】特許請求の範囲
【補正方法】変更
【補正の内容】
【特許請求の範囲】
【請求項１】
プロバイダからコンテンツを配信する方法であって、
コンテンツを符号化してコンテンツストリームに変換するステップと、
データ暗号化ツールを用いて前記符号化コンテンツストリームを暗号化するステップと、
前記コンテンツに対応したコンテンツＩＤを生成するステップと、
上記データ暗号化ツールで暗号化されたコンテンツストリームを解読するのに必要な情報を含むＩＰＭＰ（知的所有権管理保護）ツール情報を生成するステップと、
ＩＰＭＰツール情報が存在することを示すＩＰＭＰツール情報フラグを生成するステップと、
前記ＩＰＭＰツール情報フラグとこれに続く前記ＩＰＭＰツール情報、前記コンテンツＩＤ、および暗号化されたコンテンツストリームによりデータストリームを構築するステップとを含むことを特徴とする方法。
【請求項２】
上記データ暗号化ツールは、コンテンツ単位で異なることを特徴とする請求項１記載の方法。
【請求項３】
上記データ暗号化ツールは、暗号化キーにより暗号化されていることを特徴とする請求項１記載の方法。
【請求項４】
上記暗号化キーは、更にライセンスキーにより暗号化されていることを特徴とする請求項３記載の方法。
【請求項５】
上記ＩＰＭＰツール情報を生成するステップは、
各コンテンツに用いた暗号化ツールを特定するＩＰＭＰツールＩＤを割り当てるステップと、
前記暗号化ツールが存在する場所の種類を示す場所タイプＩＤを割り当てるステップと、
前記暗号化ツールが存在する場所を具体的に示す場所詳細情報を割り当てるステップとを含むことを特徴とする請求項１記載の方法。
【請求項６】
更に、前記コンテンツに電子透かし情報を埋め込むステップを含むことを特徴とする請求項１記載の方法。
【請求項７】
前記コンテンツに埋め込まれた電子透かし情報を読み取るために必要な情報をＩＰＭＰツール情報に含むことを特徴とする請求項６記載の方法。
【請求項８】
更に、別のプロバイダにより同じコンテンツを配信する場合、別のプロバイダにより別のデータ暗号化ツールでコンテンツストリームを暗号化し、その暗号化を解読するのに必要な情報を含む別のＩＰＭＰツール情報を生成するステップを含み、上記ＩＰＭＰツール情報と、該別のＩＰＭＰツール情報の両方をデータストリームに含むことを特徴とする請求項１記載の方法。
【請求項９】
プロバイダからコンテンツを含むデータストリームの配信を受ける端末において、コンテンツを読み出す方法であって、
データストリームを構文解析するステップと、
ＩＰＭＰツール情報フラグ、コンテンツＩＤ、およびＩＰＭＰツール情報を検出するステップと、
検出したＩＰＭＰツール情報に基づいてＩＰＭＰツールを取得するステップとを含むことを特徴とする方法。
【請求項１０】
前記ＩＰＭＰツールは、コンテンツの暗号を解読するツールであることを特徴とする請求項９記載の方法。
【請求項１１】
上記暗号解読ツールは、コンテンツ単位で異なることを特徴とする請求項１０記載の方法。
【請求項１２】
上記暗号解読ツールは、暗号化キーにより暗号化されていることを特徴とする請求項１０記載の方法。
【請求項１３】
上記暗号化キーを解読する解読キーは、更にライセンスキーにより暗号化されていることを特徴とする請求項１２記載の方法。
【請求項１４】
上記ＩＰＭＰツールを取得するステップは、
ＩＰＭＰツールＩＤからコンテンツに用いた暗号を解読するツールを特定するステップと、
場所タイプＩＤから前記暗号解読ツールが存在する場所の種類を検出するステップと、
場所詳細情報から前記暗号解読ツールが存在する場所を具体的に特定し、アクセスするステップと
を含むことを特徴とする請求項９記載の方法。
【請求項１５】
上記ＩＰＭＰツールを取得するステップは、
複数のＩＰＭＰツールＩＤと、それぞれのＩＰＭＰツールに対応する暗号解読ツールを特定する情報とを含むテーブルを利用することを特徴とする請求項１４記載の方法。
【請求項１６】
上記テーブルは、プロバイダと端末の両方に保持されていることを特徴とする請求項１４記載の方法。
【請求項１７】
上記ＩＰＭＰツールを取得するステップは、
端末に予め保持されているＩＰＭＰツールを符号化するステップを含むことを特徴とする請求項９記載の方法。
【請求項１８】
上記ＩＰＭＰツールを取得するステップは、
所定のツール供給源からオンラインでダウンロードするステップを含むことを特徴とする請求項９記載の方法。
【請求項１９】
更に、前記コンテンツに埋め込まれた電子透かし情報を読むステップを含むことを特徴とする請求項９記載の方法。
【請求項２０】
前記ＩＰＭＰツールは、電子透かし情報を解読するためのツールであることを特徴とする請求項１９記載の方法。
【請求項２１】
前記ＩＰＭＰツールの通信のためのインターフェスは、端末で要求されるインターフェスと合致することを特徴とする請求項９記載の方法。
【請求項２２】
前記暗号化するステップは、コンテンツストリームを部分的に暗号化することを特徴とする請求項１記載の方法。
【請求項２３】
プロバイダからコンテンツを配信する装置であって、
コンテンツを符号化してコンテンツストリームに変換する手段と、
データ暗号化ツールを用いて前記符号化コンテンツストリームを暗号化する手段と、
前記コンテンツに対応したコンテンツＩＤを生成する手段と、
上記データ暗号化ツールで暗号化されたコンテンツストリームを解読するのに必要な情報を含むＩＰＭＰ（知的所有権管理保護）ツール情報を生成する手段と、
ＩＰＭＰツール情報が存在することを示すＩＰＭＰツール情報フラグを生成する手段と、
前記ＩＰＭＰツール情報フラグとこれに続く前記ＩＰＭＰツール情報、前記コンテンツＩＤ、および暗号化されたコンテンツストリームによりデータストリームを構築する手段とを含むことを特徴とする装置。
【請求項２４】
プロバイダからコンテンツを含むデータストリームの配信を受け、コンテンツを読み出す端末装置であって、
データストリームを構文解析する手段と、
ＩＰＭＰツール情報フラグ、コンテンツＩＤ、およびＩＰＭＰツール情報を検出する手段と、
検出したＩＰＭＰツール情報に基づいてＩＰＭＰツールを取得する手段とを含むことを特徴とする装置。
【手続補正２】
【補正対象書類名】明細書
【補正対象項目名】００１９
【補正方法】変更
【補正の内容】
【００１９】
図２の２段目は、コンテンツＩＤ１用のＩＰＭＰツールの情報２０６の詳細が示されている。ここには、複数のプロバイダのＩＰＭＰツールの情報が含まれている。ここで示す例では、コンテンツプロバイダＡのＩＰＭＰツール情報２１１と、コンテンツプロバイダＢのＩＰＭＰツール情報２１２が含まれている。言うまでもなく、コンテンツプロバイダＣ、コンテンツプロバイダＤのＩＰＭＰツール情報を含ませることも可能である。プロバイダＡのＩＰＭＰツール情報として、ＩＰＭＰツールＩＤ  ２１３、ＩＰＭＰツール名２１４、ＩＰＭＰツール場所識別子２１５が含まれる。ＩＰＭＰツールＩＤ  ２１３は、たとえば暗号化されたデータを解読するためのツール、すなわち暗号解読ツールを特定する。ＩＰＭＰツール名２１４は、解読するためのツールの名称を示す。ＩＰＭＰツール場所識別子２１５は、解読するためのツールを取得することができる場所（例えば、インターネットのホームページ）を示す。ＩＰＭＰツール名２１４は省略してもよい。エンドユーザの各端末には、後で説明する表１が予め記録されているので、ＩＰＭＰツールＩＤ  ２１３を知ることができれば、ＩＰＭＰツール名２１４は、表１から取得可能である。
【手続補正３】
【補正対象書類名】図面
【補正対象項目名】図３
【補正方法】変更
【補正の内容】
【図３】
2002330126.tif 000001
【手続補正４】
【補正対象書類名】図面
【補正対象項目名】図４
【補正方法】変更
【補正の内容】
【図４】
2002330126.tif 000002
【手続補正５】
【補正対象書類名】図面
【補正対象項目名】図５
【補正方法】変更
【補正の内容】
【図５】
2002330126.tif 000003
【手続補正６】
【補正対象書類名】図面
【補正対象項目名】図６
【補正方法】変更
【補正の内容】
【図６】
2002330126.tif 000004